(57)【要約】  【課題】簡易な構成で紙幣の搬送を確実に行うことができるとともに、設置に必要な占有空間を小さくすることにより装置の設置場所が限定され難い紙葉類の搬送装置を提供する。  【解決手段】紙葉類１０を搬送する搬送通路２０と、紙葉類１０と当接する摩擦部材３５と、摩擦部材３５を搬送通路２０の搬送方向に沿って案内移動する搬送手段５と、を備え、搬送通路２０は、紙葉類１０の搬送方向に沿って延設された突条部１７ａ、１８ａを有し、摩擦部材３５は突条部１７ａ、１８ａと対向してそれと間隙３８を介して噛合うように形成された作用部３６を有し、紙葉類１０を突条部１７ａ，１８ａと摩擦部材３５の作用部３６により両面側から挟持し、搬送手段５により摩擦部材３５を案内移動することにより、紙葉類１０を搬送通路２０に沿って搬送する。【選択図】      図３
2008213954.tif 000002
【特許請求の範囲】
【請求項１】
紙葉類を搬送する搬送通路と、前記紙葉類と接して摩擦力を生じる摩擦部材と、前記摩擦部材を前記搬送通路に沿って案内移動する搬送手段と、を備え、
前記搬送通路は、前記紙葉類の搬送方向に沿って延設された突条部を有し、前記摩擦部材は前記突条部と対向してそれと間隙を介して噛合うように形成された作用部を有し、前記搬送通路において前記紙葉類を前記突条部と前記摩擦部材の作用部により両面側から押圧するように挟持し、前記搬送手段により前記摩擦部材を案内移動することにより、前記紙葉類を前記搬送通路に沿って搬送することを特徴とする紙葉類の搬送装置。
【請求項２】
前記搬送手段は、前記摩擦部材を着脱自在に装着する装着部を備えたリンクを複数連結し、前記リンクの両側に回動自在に案内ローラーを設けた無端状のチェーンと、断面を略方形に形成し、前記リンク両側の案内ローラーを外側から囲み、その各辺内面により前記案内ローラーを前記搬送方向に案内するレール部材とを有し、前記摩擦部材は前記レール部材の両側にそれぞれ前記作用部を配置して前記リンクの装着部に装着され、前記搬送通路が前記レール部材に沿ってその両側に延設されたことを特徴とする請求項１に記載の紙葉類の搬送装置。
【発明の詳細な説明】
【技術分野】
【０００１】
本発明は、簡易な構成で紙葉類を所定の搬送通路に沿って搬送する紙葉類の搬送装置に関する。この装置は、例えば、遊技場において複数並設されたパチンコ台等の遊技機の間に配設される複数のパチンコ玉等の遊技媒体貸出機に投入された紙幣を回収し、その遊技機列の一側端に設けられた両替機等の紙幣収納部へその紙幣を搬送する紙幣回収搬送装置に利用される。
【背景技術】
【０００２】
従来のこの種の紙葉類の搬送装置としては、先に出願公開された特開２００２−１１４３９６号公報（特許文献１）や、本出願人が出願し公開された特開２００３―３０６２６２号公報（特許文献２）に記載されるようなものが知られている。ここで、特許文献1に記載される紙葉類の搬送装置は、所定の軌道上を循環するエンドレスチェーンの外リンクプレートの外方に、その外リンクプレートに接触するように押圧部材を付勢して配置し、外リンクプレートの外面を摩擦性を有する摩擦材で構成して、その外リンクプレートと押圧部材とに挟持された紙幣を、チェーンの走行に伴って搬送するものである。そして、これにより、簡易な構成で、外部から供給された紙幣を回収して所定の収納部に確実に搬送する装置を提供するものである。
【０００３】
また、特許文献２に記載の紙葉類の搬送装置は、複数箇所に設けられた紙幣の受入部に投入された紙幣が、鑑別後にその出口側の一時保留部にそれぞれ保留され、後にそれらの保留紙幣が所定の収納部に回収、収納される装置において、各一時保留部と収納部とを接続して一方向に循環する無端状の搬送手段と、この搬送手段の外縁から突出するように起立して設けられ、その搬送手段により循環し、各一時保留部を通過するときそこに保留中の紙幣を把持し、所定の収納部を通過するときその紙幣を解放して収納部に収納させる把持回収手段とを備えるものである。そして、このように構成される把持回収手段により、各受入部が受け入れた紙幣の回収が信頼性高く行える紙幣の回収装置を提供するものである。
【特許文献１】特開２００２−１１４３９６号公報
【特許文献２】特開２００３−３０６２６２号公報
【発明の開示】
【発明が解決しようとする課題】
【０００４】
ところで、特許文献１に記載される紙幣の搬送装置においては、エンドレスチェーンの外リンクプレートに添説された摩擦部材と、これに接触するように付勢された押圧部材により紙幣が挟持されて搬送されるが、これらの間に紙幣が挟持されない場合は、これらが当接しながらチェーンが走行されるから、これらが磨耗して紙幣の搬送力が低下し搬送不良が生じる場合がある。また、エンドレスチェーンの走行を所定の軌道にそって案内する手段として、チェーンを載置するレールが設けられるが、このレールはチェーンの連結ピンを被装するブッシュを載置し、その両側の内リンク体が跨るように形成されるので、チェーンの幅が狭い場合は、レール上のチェーンが傾いて外リンクプレートに添設された摩擦材と押圧部材により紙幣を適正に挟持できず、紙幣の搬送不良が生じる問題があった。
【０００５】
また、特許文献２に記載されるような紙幣の回収装置においては、循環する無端状の搬送手段の外縁から突出するように起立状態で紙幣を把持する把持回収手段が配設され、その把持回収手段が循環移動する空間が搬送手段の外縁に特別に必要となるから、装置本体に比べて装置の稼動に必要な占有空間が大きくなり、その稼動に必要な大きな空間が確保可能な場所のみに装置の設置が限定されてしまう問題があった。
【０００６】
本発明は、このような問題に対応するため、簡易な構成で紙幣の搬送を確実に行うことができるとともに、設置に必要な占有空間を小さくすることで、コストが安く、信頼性が高く、さらに装置の設置場所が限定され難い紙葉類の搬送装置を提供することを目的とするものである。
【課題を解決するための手段】
【０００７】
上記課題を解決するため、請求項１に係る発明は、紙葉類を搬送する搬送通路と、前記紙葉類と接して摩擦力を生じる摩擦部材と、前記摩擦部材を前記搬送通路に沿って案内移動する搬送手段と、を備え、前記搬送通路は、前記紙葉類の搬送方向に沿って延設された突条部を有し、前記摩擦部材は前記突条部と対向してそれと間隙を介して噛合うように形成された作用部を有し、前記搬送通路において前記紙葉類を前記突条部と前記摩擦部材の作用部により両面側から押圧するように挟持し、前記搬送手段により前記摩擦部材を案内移動することにより、前記紙葉類を前記搬送通路に沿って搬送するものである。
【０００８】
これによれば、前記紙葉類を前記突条部と前記摩擦部材の作用部により噛むように挟み、前記摩擦部材を前記紙葉類に圧接することで、前記紙葉類を確実に前記搬送路に沿って搬送することができる。また、前記突条部と前記摩擦部材の作用部により前記紙葉類を挟まない場合は、これらが接触しないからこれらが摩擦により磨耗することもない。
また、請求項２に係る発明は、請求項１に記載の紙葉類の搬送装置において、前記搬送手段は、前記摩擦部材を着脱自在に装着する装着部を備えたリンクを複数連結し、前記リンクの両側に回動自在に案内ローラーを設けた無端状のチェーンと、断面を略方形に形成し、前記リンク両側の案内ローラーを外側から囲み、その各辺内面により前記案内ローラーを前記搬送方向に案内するレール部材とを有し、前記摩擦部材は前記レール部材の両側にそれぞれ前記作用部を配置して前記リンクの装着部に装着され、前記搬送通路が前記レール部材に沿ってその両側に延設されたものである。
【０００９】
これによれば、前記紙葉類を前記レール部材の両側に配置した前記搬送通路に沿って搬送することができる。また、前記レール部材の両側で同時に前記紙葉類を搬送することができる。
【発明の効果】
【００１０】
以上説明したように請求項１に係る発明によれば、例えば紙幣等の紙葉類を突条部と摩擦部材の作用部により噛むように挟持して確実に搬送路に沿って搬送することができるから、信頼性の高い紙葉類の搬送装置を提供することができる。また、突条部と摩擦部材の作用部により紙幣等の紙葉類を挟まない場合は、これらが接触しないのでこれらが摩擦により磨耗することがないから、保守点検が容易な紙葉類の搬送装置を提供することができる。
【００１１】
また、請求項２に係る発明によれば、紙幣等の紙葉類を、チェーンを案内するレール部材の側方に配置した搬送通路に沿って搬送することができるから、装置本体に比べて装置の稼動に必要な空間が特に上下方向に大きくならず、装置の設置場所が限定され難い紙葉類の搬送装置を提供することができる。また、チェーンを案内するレール部材の両側で同時に紙葉類を搬送することができるから、簡易な構成で、効率的に紙葉類を所定の収納部に回収搬送することができる。
【発明を実施するための最良の形態】
【００１２】
本発明の実施の形態について図を参照して説明する。図１は本発明の実施形態の紙葉類の搬送装置１を適用するもので、遊技場において複数並設された遊技機（パチンコ台等）７５の間に配置される複数の遊戯媒体（パチンコ玉等）貸出機７０に投入された紙幣を回収し、その遊技機７５列の一方端側に設けられた紙幣収納部（両替機等）７６へその紙幣を搬送する装置を備えたいわゆる遊技島８０を模式的に示す斜視図である。また、図２はこの遊技島８０の構成を示す概略平面図である。このように構成される遊技島８０において、遊技媒体貸出機７０の紙幣挿入口７１（図1）に挿入された紙幣は、その内部に設けられた図示しない紙幣識別機により真贋等が識別され、適正と判別されればその背面側の紙幣導入部５０（図２）に送出される。紙幣導入部５０に送出された紙幣は、遊技機７５列に沿ってその背面側に延設された紙葉類の搬送装置１の紙幣搬送路３に取り込まれ、遊技機７５列の一方端側に設けられた紙幣収納部７６に向けて搬送され、収納される。
【００１３】
図３は、遊技機７５列に沿ってその背面側に延設される紙幣搬送路３の概略構造を示す側断面図、図４は同様の紙幣搬送路３の概略構造を示す正面図である。この紙幣搬送路３の内部には、その幅の略中央部に一方向に循環する無端状のチェーン５が配設されている。この無端状のチェーン５は、遊技島８０の一方端側に設けられた駆動スプロケット６と、これと離間して他方側に配置された一対の従動スプロケット７に巻き掛けられて架設されている。ここで、一対の従動スプロケット７は、スライド自在に設けられた案内部材８に回動自在に取り付けられ、さらにこの案内部材８は無端状のチェーン５の内側に設けられたスプリング９によって他方側に付勢されている。これにより、無端状のチェーン５はこれらの駆動スプロケット６、従動スプロケット７間に緩みなく架設される。そして、その駆動スプロケット６により一方行（図４矢印方向）に循環駆動される。
【００１４】
また、この紙幣搬送路３は、無端状のチェーン５を案内する後述の案内レール部１２、１３を上下に備えたメインフレーム１１と、メインフレーム１１の上方にこれと平行に配設された上フレーム１５と、これらを挟むようにその両側に設けられた一対の通路側板１７、１８とによって略方形に形成され、その両側の通路側板１７、１８の内側に沿って紙幣を搬送する紙幣通路２０がその両側に形成されている。
【００１５】
メインフレーム１１は、上構造部１１ａと下構造部１１ｂとこれらを連結する連結プレート部１１ｃ等から構成されている。上部構造部１１ａは断面が略角筒状に形成され、その上部に無端状のチェーン５を案内する断面が略方形の案内レール部１２が設けられ、その両側部には通路側板１７、１８を装着する側板装着部２２と、紙幣１０を搬送する紙幣通路２０の下端面を形成するリブ部２３が設けられている。下部構造部１１ｂには、上構造部１１ａの案内レール部１２と上下方向に対称に案内レール部１３が設けられ、その側部に、案内レール部１３を走行する無端状のチェーン５等を覆うカバー部材２６を装着するためのカバー装着部２４が設けられている。また、上構造部１１ａと下構造部１１ｂを連結する連結プレート部１１ｃの両側には、このメインフレーム１１を搬送路支持部材等を介して遊技島８０の基台等に取り付けるジョイント案内部２５が設けられている。
【００１６】
上フレーム１５は断面が略角筒状に形成され、その上部両側に通路側板１７、１８を取り付ける取付部２８が設けられ、その下方に紙幣通路２０の上端面および上部側面を形成するリブ部２９、３０が設けられている。また、この上フレーム１５の上端部にはこれを遊技島８０の基台等に取り付けるためのジョイント案内リブ３１が設けられている。
紙幣搬送路３の両側の通路側板１７、１８は、メインフレーム１１と上フレーム１５を挟んで向き合うように設けられ、その内壁に紙幣通路２０に突出するように複数の突条部１７ａ、１８ａが紙幣の搬送方向に沿って延設されている。また、この突条部１７ａ、１８ａの一つは、後述の摩擦部材３５の作用部３６と隙間３８を介して噛み合うように配置され、紙幣通路２０を搬送される紙幣１０が両面側から押圧されて安定に摩擦部材３５の作用部３６に当接して搬送されるように機能する。
【００１７】
図５は、紙幣搬送路３内を一方向に循環する無端状のチェーン５を構成するリンク４０を示すもので（ａ）はその正面図、（ｂ）はその平面図である。図に示すように、このチェーン５を構成するリンク４０は一対のリンクプレート４１を結合して双胴船型に形成されている。このリンクプレート４１の一方端部にはフック部４１ａが形成されている。また、他方端部には、両リンクプレート４１間に駆動スプロケット６および従動スプロケット７と噛み合うブッシュローラー４３が配設され、さらにその両外側端に案内ローラー４５が配設されて、これらが支軸４６により回転自在に支持されている。そして、図中に実線と二点鎖線とで表示したように、隣り合うリンク４０、４０がそれぞれのフック部４１ａと支軸４６とを係合させてループ状に連結されている。また、リンク４０ａ中央の結合部４２上面には凹部４７を有して突出形成された装着部４８が設けられている。そして、この装着部４８の凹部４７に後述の摩擦部材３５の凸状に設けられた連結部３７が着脱可能に装着される。なお、摩擦部材３５を装着しないリンク４０には、装着部４８を設けないものを使用してもよい。
【００１８】
このように構成される無端状のチェーン５は、水平方向を長手方向とする細長いループを形成して紙幣搬送路３内に張設される。この無端状のチェーン５の細長いループは、その上側の部分と下側の部分がそれぞれメインフレーム１１の上構造部１１ａと下構造部１１ｂに設けられる案内レール部１２、１３によって支持、案内され、その両端部分が駆動スプロケット６、および一対の従動スプロケット７に噛み合うように架設される。またこの無端状のチェーン５は、各リンク４０の案内ローラー４５が案内レール部１２、１３の各辺内面よって案内され、それが転動することにより案内レール部１２、１３内を円滑に走行する。
【００１９】
図６は、無端状のチェーン５のリンク４０に装着される摩擦部材３５を示すもので、（ａ）はその正面図、（ｂ）はその側面図、（ｃ）はその下面図である。この摩擦部材３５は両側に作用部３６を備えて略コ字状に形成され、その中央部に無端状のチェーン５を構成するリンク４０の装着部４８に設けられた凹部４７に挿入される凸状の連結部３７が設けられている。そして、この連結部３７をリンク４０の凹部４７に挿入し、その両側の爪部３７ａをリンク４０の装着部４８の外側に係合させることにより、摩擦部材３５はリンク４０に着脱自在に装着される。なお、連結部３７とともにその中央部の他方側に凸状に設けられる支柱部３９は、摩擦部材３５の作用部３６とリンク４０の間隔を適当に保持するための案内部である。
【００２０】
摩擦部材３５両側の作用部３６は、紙幣通路２０を搬送される紙幣１０と当接して摩擦力を生じるウレタンゴム等の摩擦材料からなり、その中央に形成される溝部３６ａは通路側板１７、１８に形成される突条部１７ａ、１８ａと対向し、これと隙間３８を介して噛み合うように形成されている。すなわち、このような構成によれば、紙幣通路２０を搬送される紙幣１０が、この作用部３６と突条部１７ａ、１８ａにより挟み込まれて波型に変形すると紙幣１０が作用部３６により押圧され、それにより生じる摩擦力を安定させて、紙幣１０の搬送を確実に行うことができる。なお、この摩擦部材３５は、無端状のチェーン５のリンク４０に搬送紙幣の長さより短い所定の間隔で装着される。
【００２１】
図７は、遊技媒体貸出機７０に挿入された紙幣が、その内部の図示しない紙幣識別機により適正と判別されて送出される紙幣導入部５０の構造を示す平面断面図である。図に示すように、この紙幣導入部５０は、通路側板１８（１７）と並んで配設されて紙幣通路２０の側壁を構成する導入部本体５１と、その外側に設けられた導入部カバー５２等かなり、導入部本体５１と導入部カバー５２の間に、遊技媒体貸出機７０から送出される紙幣１０を紙幣通路２０に導く紙幣導入通路５５が形成されている。この紙幣導入通路５５は、遊技媒体貸出機７０から送出される紙幣の向きを紙幣通路２０に沿って略直角に変更し、紙幣１０をその紙幣通路２０に合流するように案内する。また、紙幣導入通路５５と紙幣通路２０の合流部付近には、それらの通路に突出しかつ紙幣１０の搬送方向に回動自在に設けられた検知レバー５６を備え、紙幣１０がその位置を通過するとき検知レバー５６がその紙幣１０に押されて搬送方向に回動し、これにより紙幣１０の通過を検知する紙幣搬送検知センサ５３が配置されている。
【００２２】
また、紙幣導入部５０には、通路側板１８（１７）に設けられた突条部１８ａ（１７ａ）に対応してそれを延設するように導入突条部５１ａが設けられている。そして、この導入突条部５１ａには紙幣導入通路５５と紙幣通路２０の合流部から紙幣搬送方向に向かう所定の区間において、その高さが、通路側板１８（１７）の突条部１８ａ（１７ａ）よりも低く形成された導入待機部５１ｂが設けられている。ここで、この紙幣搬送路３においては、遊技媒体貸出機７０の紙幣識別機により適正と判別され紙幣導入部５０に送出された紙幣１０がエスクロ（返却可能）状態にあるとき、その紙幣１０の先端は、この導入待機部５１ｂが形成された範囲に位置して、一時保留されるように構成されている。そして、遊技媒体貸出機７０から紙幣導入部５０に送出された紙幣１０の先端がこのように導入待機部５１ｂに位置する場合は、その紙幣１０の先端部が摩擦部材３５の作用部３６と導入待機部５１ｂにより挟まれてその搬送方向に搬送力を生じるが、その搬送力は、通路側板１８（１７）の突条部１８ａ（１７ａ）と同じ高さに形成される導入突条部５１ａの位置にある紙幣に生じるものより小さい。したがって、遊技媒体貸出機７０の本体に設けられる例えば紙幣保持ローラー７０ａ等により、この比較的小さな搬送力に対応する力で挟持して、紙幣１０を容易にその位置に保持することができる。また、この紙幣をさら紙幣通路２０に送り込み紙幣保持ローラー７０ａによる挟持を解消（すなわちエスクロ状態を解除）すれば、その紙幣１０に生じる前述の比較的小さな搬送力により紙幣１０が搬送方向に徐々に搬送される。そして、通路側板１８（１７）の突条部１８ａ（１７ａ）と同じ高さに形成される導入突条部５１ａの位置に到達すると、その搬送力が増して比較的大きなものとなり紙幣１０の搬送を確実に行うことができる。すなわち、このような構成により、構造が簡単でコストが安く、紙幣の搬送通路２０への導入を確実に行うことができる信頼性の高い紙幣搬送装置に係る紙幣導入装置を提供することができる。
【００２３】
以上のような紙幣類の搬送装置１を備える遊技島８０において、遊技媒体貸出機７０の紙幣挿入口７１に挿入された紙幣１０は、その内部に設けられた紙幣識別機により真贋等が識別され、適正と判別されたときはその背面側の紙幣導入部５０に送出され、エスクロ状態で一時保留される。そして、パチンコ玉等の遊技媒体が遊技媒体貸出機７０から貸し出されると、紙幣１０のエスクロ状態が解除され、紙幣導入部５０に一時保留された紙幣１０は、遊技機７５列に沿ってその背面側に延設された紙幣搬送路３の紙幣通路２０に摩擦部材３５により取り込まれる。さらに紙幣通路２０に取り込まれた紙幣１０は、遊技機７５列の一方端に向けて搬送され、その端部に設けられた両替機等の紙幣収納部７６収納される。このようにして、遊技場において複数並設されたパチンコ台等の遊技機７５の間に配設される複数のパチンコ玉等の遊技媒体貸出機７０に投入された紙幣１０を回収し、その遊技機７５列の一側端に設けられた両替機等の紙幣収納部７６へその紙幣を搬送、収納する。
【００２４】
以上のように、本発明の紙葉類の搬送装置１によれば、紙幣等の紙葉類を紙幣搬送路３を構成する通路側板１７、１８の突条部１７ａ、１８ａと、無端状のチェーン５に装着される摩擦部材３５の作用部３６により噛むように挟持し、これにより紙幣１０と作用部３６の当接により生じる摩擦力を安定に保持して紙幣１０を確実に紙幣通路２０に沿って搬送することができるから、信頼性の高い紙葉類の搬送装置を提供することができる。また、通路側板１７、１８の突条部１７ａ、１８ａと摩擦部材３５の作用部３６により紙幣等の紙葉類を挟持しない場合は、これらが接触していないのでこれらが摩擦により磨耗することがないから、部品交換等の頻度が少なく保守点検が容易な紙葉類の搬送装置を提供することができる。
【００２５】
また、本発明の紙葉類の搬送装置は、紙幣等の紙葉類をチェーン５を案内する案内レール１２の側方に配置した紙幣通路２０に沿って搬送することができるから、装置本体に比べて装置の稼動に必要な空間が特に上下方向に大きくならず、装置の設置場所が限定され難い紙葉類の搬送装置を提供することができる。また、チェーン５を案内する案内レール１２の両側で同時に紙幣１０を搬送することができるから、簡易な構成で、効率的に紙葉類を所定の収納部７６に回収搬送することができる。    
【００２６】
なお、本発明は、言うまでもなく本実施の形態に示す装置にのみ限定されず、その趣旨の包含する範囲で応用変更が可能である。例えば、摩擦部材３５の作用部３６に設けられる溝部３６ａや、これと隙間３８を介して噛み合う通路側板１７、１８の突条部１７ａ、１８ａは、一箇所に限らず複数並べて設けてよい。また、摩擦部材３５等の形状はこの実施形態に示すものに限定されるものではない。
【図面の簡単な説明】
【００２７】
【図１】本発明の実施形態の紙葉類の搬送装置を適用するもので、遊技場において複数並設された遊技機（パチンコ台等）の間に配置される複数の遊戯媒体（パチンコ玉等）貸出機に投入された紙幣を回収し、その遊技機列の一方端側に設けられた紙幣収納部（両替機等）へその紙幣を搬送する装置を備えたいわゆる遊技島を模式的に示す斜視図である。
【図２】本発明の実施形態の紙葉類の搬送装置を適用する遊技島の構成を示す概略平面図である。
【図３】本発明の実施形態の紙葉類の搬送装置において遊技機列に沿ってその背面側に延設される紙幣搬送路の構造を示す側断面図である。
【図４】本発明の実施形態の紙葉類の搬送装置において遊技機列の背面側に延設される紙幣搬送路を示す正面図である。
【図５】本発明の実施形態の紙葉類の搬送装置において紙幣搬送路内を一方向に循環する無端状のチェーンを構成するリンクを示すもので（ａ）はその正面図、（ｂ）はその平面図である。
【図６】本発明の実施形態の紙葉類の搬送装置において無端状のチェーンのリンクに装着される摩擦部材を示すもので、（ａ）はその正面図、（ｂ）はその側面図、（ｃ）はその下面図である。
【図７】本発明の実施形態の紙葉類の搬送装置において、遊技媒体貸出機の紙幣挿入口に挿入された紙幣が、その内部の紙幣識別機により適正と判別されて送出される紙幣導入部の構造を示す平面断面図である。
【符号の説明】
【００２８】
１  紙葉類の搬送装置  
３  紙幣搬送路
５  チェーン
１０  紙幣（紙葉類）
１２  案内レール部（レール部材）
１７  通路側板
１７ａ  突条部
１８  通路側板
１８ａ  突条部
２０  紙幣通路（搬送通路）
３５  摩擦部材
３６  作用部
３６ａ  溝部  
４０  リンク
４５  案内ローラー
４８  装着部
５０  紙幣導入部
７０  遊技媒体貸出機
７５  遊技機
７６  紙幣収納部
８０  遊技島
【図１】
2008213954.tif 000003
【図２】
2008213954.tif 000004
【図３】
2008213954.tif 000005
【図４】
2008213954.tif 000006
【図５】
2008213954.tif 000007
【図６】
2008213954.tif 000008
【図７】
2008213954.tif 000009